(57)【特許請求の範囲】
【請求項１】
光透過性基材上に光反射性部材が積層されるか、又は光反射性インキによって少なくとも一つの可視画像が形成された基材に、複数の孔群によって構成された少なくとも１つの不可視画像を備えた偽造防止用形成体であって、
前記孔群は、第１の方向に沿って第１の距離をもって一対となって配置された第１の開孔領域及び第２の開孔領域を有するｕｎｉｔが、規則的に一定ピッチで複数隣接して配置され、
前記複数隣接して配置されたｕｎｉｔにおける前記第１の開孔領域は、第２の距離をもって配置され、
前記第１の開孔領域及び前記第２の開孔領域は、オン、オフの関係にあり、かつ、開孔領域の面積率が同一として形成され、
前記第１の開孔領域を開孔、すなわちオンとして形成することで、第１の不可視画像のネガ画像又はポジ画像のいずれか一方が形成され、
前記第２の開孔領域を開孔、すなわちオンとして形成することで、第１の不可視画像のネガ画像又はポジ画像の他方が形成され、
前記ｕｎｉｔは、前記第１の開孔領域及び前記第２の開孔領域が存在しない位置に、第３の開孔領域を有し、
前記第３の開孔領域によって、第２の不可視画像が形成されたことを特徴とする偽造防止用形成体。
【請求項２】
前記第１の開孔領域及び前記第２の開孔領域は、光の透過光量を高めるために前記第１の方向と直交する方向にそって最長の直径を有する長円、最長の辺を有する長方形又は最長の対角線を有する多角形の形状で形成されたことを特徴とする請求項１記載の偽造防止用形成体。
【請求項３】
前記複数隣接して配置されたｕｎｉｔのうち、オンとして配置された前記第１の開孔領域及び前記第２の開孔領域が前記第１の距離で配置された場合、いずれか一方の孔を開孔せず、
前記複数隣接して配置されたｕｎｉｔのうち、オフとして配置された前記第１の開孔領域及び前記第２の開孔領域が前記第２の距離よりも長い距離で配置された場合に、所定の領域における光の透過光量を緩和するために、前記第１の開孔領域及び前記第２の開孔領域における半分又は略半分の開孔面積を有する第４の開孔領域を、前記第２の距離よりも長い距離をもって配置された前記第１の開孔領域及び前記第２の開孔領域の中心に配置されたことを特徴とする請求項１又は２記載の偽造防止用形成体。
【請求項４】
前記ｕｎｉｔは、更に前記第１の方向に直交する第２の方向に沿って前記第１の距離をもって一対となって配置された第５の開孔領域及び第６の開孔領域を有し、
前記複数隣接して配置されたｕｎｉｔにおける前記第５の開孔領域は、前記第２の距離をもって配置され、
前記第５の開孔領域及び前記第６の開孔領域は、オン、オフの関係にあり、かつ、開孔領域の面積率が同一として形成され、
前記第５の開孔領域をオン、すなわち開孔することで、第３の不可視画像のネガ画像又はポジ画像のいずれか一方が形成され
前記第６の開孔領域をオン、すなわち開孔することで、第３の不可視画像のネガ画像又はポジ画像の他方が形成されたことを特徴とする請求項１乃至３のいずれか１項記載の偽造防止用形成体。
【請求項５】
前記第５の開孔領域及び前記第６の開孔領域は、光の透過光量を高めるために前記第２の方向と直交する方向に沿って最長の直径を有する長円、最長の辺を有する長方形又は最長の対角線を有する多角形の形状で形成されたことを特徴とする請求項４記載の偽造防止用形成体。
【請求項６】
前記複数隣接して配置されたｕｎｉｔのうち、オンとして配置された前記第５の開孔及び前記第６の開孔が前記第１の距離をもって配置された場合、いずれか一方の孔を開孔せず、
前記複数隣接して配置されたｕｎｉｔのうち、オフとして配置された前記第５の開孔領域及び前記第６の開孔領域が前記第２の距離よりも長い距離で配置された場合に、所定の領域における光の透過光量を緩和するために、前記第５の開孔領域及び前記第６の開孔領域における半分又は略半分の開孔面積を有する第７の開孔領域を、前記第２の距離よりも長い距離をもって配置された前記第５の開孔領域及び前記第６の開孔領域の中心に配置されたことを特徴とする請求項４又は５記載の偽造防止用形成体。
【請求項７】
前記第１の開孔領域、前記第２の開孔領域、前記第３の開孔領域、前記第４の開孔領域、前記第５の開孔領域、前記第６の開孔領域及び前記第７の開孔領域は、それぞれ円形の形状又はそれぞれ多角形の形状を有することを特徴とする請求項６記載の偽造防止用形成体。
【請求項８】
前記ｕｎｉｔ同士の所定のピッチは、１ｍｍ以下であることを特徴とする請求項１乃至７のいずれか１項記載の偽造防止用形成体。
【請求項９】
前記ｕｎｉｔ内における前記第１の開孔領域、前記第２の開孔領域、前記第３の開孔領域、前記第４の開孔領域、前記第５の開孔領域、前記第６の開孔領域及び前記第７の開孔領域のうち、開孔される領域の一部が結合して開孔されたことを特徴とする請求項６、７又は請求項６、７を引用する請求項８のいずれか１項記載の偽造防止用形成体。
【請求項１０】
前記可視画像は、微細な凹凸によって形成された回折格子又は回折格子パターンによって形成されたことを特徴とする請求項１乃至９のいずれか１項記載の偽造防止用形成体。
【発明の詳細な説明】
【技術分野】
【０００１】
本発明は、ホログラムを紙等の基材に貼付した印刷媒体に関する。特に、本発明は、銀行券、パスポート、ブランドプロテクション等の貴重性の高い媒体に利用され、偽造防止や真偽判別が必要な媒体に適用できる。
【背景技術】
【０００２】
磁気カード等のカード媒体や銀行券、諸証券等の紙媒体の表面にホログラムを貼付し、偽造防止のためのセキュリティ機能を高める方法としては、公知になっている。しかし、コピー機やパソコン等の電子機器の急激な精度向上に伴い、単純なホログラムでは、偽造防止として十分な機能を得られていない状況にある。そこで、ホログラムを構成する金属層又は金属蒸着層に、非金属領域を設けて透明層又は透明部分を形成することは、以下の先行発明のとおり開示されている。
【０００３】
例えば、ホログラムのマスキング印刷層を洗い流すことで、所望のパターン（ダイヤ・ハート・クローバ・スペード等）の金属反射層を設けて、意匠性の自由度が増し、細かいパターン、複雑なパターンが形成する技術を開示されている（例えば、特許文献１参照）。
【０００４】
また、特許文献１以外のホログラムの金属蒸着層を除去する方法としては、例えば、金属蒸着層をＹＡＧもしくはＣＯ２等のレーザビームで照射により非接触にて溶解し、固定情報として印字パターンとする技術が開示されている（例えば、特許文献２参照）。
【０００５】
また、金属蒸着型熱転写用ホログラムシートにレーザを部分的に照射し、照射部分の金属蒸着層をスリット状又はメッシュ状に蒸発させる技術が開示されている（例えば、特許文献３参照）。
【０００６】
さらに、ホログラムに印刷デザイン形成部と、ホログラムの金属蒸着膜をレーザ加工又はエッチング処理により透かしデザイン形成部を設ける技術が開示されている（例えば、特許文献４参照）。
【０００７】
また、本発明の出願人らは、ホログラム形成層の一表面上に形成された回折格子の表面上には、潜像画像領域と潜像背景領域から成るホログラム画像領域を有し、潜像画像領域には、光透過性部材から成る第１の線幅の潜像画像線と、潜像画像線の背景に形成された光反射性部材から成る第１の光反射領域とを有し、潜像背景領域には、光透過性部材から成る第２の線幅の潜像背景線と、潜像背景線の背景に形成された光反射性部材から成る第２の光反射領域とを有し、潜像画像線と潜像背景線の線幅は、異なることを特徴とするホログラムシートを既に出願している。
【０００８】
これにより、本発明のホログラムシート及びホログラム形成層を接着剤で貼付した印刷基材のホログラム画像領域は、反射状態で目視した場合、光反射性部材から成る潜像画像領域及び潜像背景領域の光反射領域により、回折光や反射光でホログラム効果が目視できるが、ホログラム画像領域の光透過性部材で形成した潜像画像線及び潜像背景線は目視できない。一方、ホログラム画像領域を透過状態で目視した場合は、ホログラム効果は目視できないが、ホログラム画像領域の光透過性部材で形成した潜像画像領域における複数の潜像画像線と潜像背景領域における複数の潜像背景線との透過光量の差異や透過光の方向性の差異等により、潜像画像領域が文字、マーク、図柄として目視できるといった効果を有する技術が開示されている（例えば、特許文献５参照）。
【先行技術文献】
【特許文献】
【０００９】
【特許文献１】特開平１１−２８６１９４号公報
【特許文献２】特開平１０−３３３５７４号公報
【特許文献３】特開２００３−１５００２７号公報
【特許文献４】特開２００５−１４４９２号公報
【特許文献５】特開２００７−２４０７８５号公報
【発明の概要】
【発明が解決しようとする課題】
【００１０】
しかしながら、特許文献１の発明では、ホログラムの金属蒸着層内に非金属領域を設けて、所望のパターン（ダイヤ・ハート・クローバ・スペードが開示されている）を形成することから、デザインを作成する上では、任意のパターンが自由に形成できるという利点がある。しかし、偽造防止に関するセキュリティ面から見ると、ホログラムによる金属蒸着層内に非金属領域で形成する所望のパターンは、単純な図柄で、かつ、パターン図柄全体を金属蒸着層の有無で形成していることから、複写、複製した場合に模造されやすいため、セキュリティ面では課題があった。そのため、金属蒸着層内に非金属領域を、より効果的な構成にして、偽造抵抗力を高めることが望まれていた。
【００１１】
また、特許文献２の発明では、ホログラムの金属蒸着層をＹＡＧもしくはＣＯ２等のレーザビームで照射により非接触にて溶解し、固定情報として印字パターンを形成する。具体的な印字パターンとしては、管理番号や文字等が開示されており、目視できる程度の大きさの固定情報を記録することで、本発明の目的や利用としては達成されている。しかし、固定情報を微細な構造体（例えば、微細な線状や点状の集合体）にした場合、線や点は微小であるため、レーザビームの出力のバラツキが生じ、レーザ出力が減少した場合、線や点として形成されず、逆に、レーザ出力が増えた場合、設定幅の線や点よりも大きくなる可能性があることから、微細体を形成するのは不向きである。したがって、レーザビームで固定情報を加工する場合、レーザビームの出力のバラツキに対する影響を受けにくい文字等が好適であり、固定情報を微細な構造とした場合には課題があった。
【００１２】
また、特許文献３の発明では、ホログラムシートの金属層蒸着層にレーザを部分的に照射し、照射部分の金属蒸着層をスリット状又はメッシュ状に蒸発させるが、ホログラム形成層は残存させ、擬似的な透明又は半透明なホログラムシートを形成するものである。そのため、コスト面で多種少量生産に好適であるが、大量生産品では、レーザビームの出力のバラツキが影響し、その結果、金属蒸着層に対してレーザ加工した加工精度（金属蒸着層を除去する精度）もあばれを生じることから、常に同一の加工精度、加工品質が求められる場合は不適であった。一方、精密な加工が可能なレーザビームを有する装置は、レーザによる加熱を制御する機能やスペースが必要となり、装置自体が大きくなることと、装置の価格が高くなり、低コストでは実現できない。
【００１３】
また、ホログラムの金属蒸着層をレーザ加工により蒸発させ、スリット状又はメッシュ状として、透かして見たときに、あたかも透明（又は半透明）に見えることで擬似透明ホログラムとして機能させている。このスリット状又はメッシュ状とする目的は、レーザ加工により金属蒸着層に対して、除去部分と非除去部分を繰り返して形成することにより、肉眼で見た場合、ホログラムに透明（又は半透明）の濃淡を与えるものである。しかし、偽造防止に関するセキュリティ面では、ホログラムの真偽判別する場合、「透明（又は半透明）である」「透明（又は半透明）でない」という濃度を基準とするため、判定する者の個人差により基準が異なり、客観的な判断ができないため、真偽判別手段としては向いていないという課題があり、誰にでも客観的に判断できる真偽判別手段が望まれていた。
【００１４】
一方、ホログラムの金属蒸着層をレーザ加工により除去した場合に透かして見える情報としては、具体的には文字や数字が開示されているが、文字の大きさに具体的な記載がないため、透かしても見えるが、透かさなくても反射状態で文字や数字が目視できてしまうという欠点があり、セキュリティ面の潜像効果としては、より反射状態で目視した時に情報が見えない構成が望まれていた。
【００１５】
また、特許文献４の発明では、ホログラムに印刷デザイン形成部と、ホログラムの金属蒸着膜をレーザ加工又はエッチング処理により透かしデザイン形成部を設けているが、具体的に開示されている透かしデザイン形成部は、文字や数字であり、文字の大きさに具体的な記載がなく、透かしても見えるが、一方で、透かさなくても反射状態で文字や数字が目視できてしまうため、セキュリティ面の潜像効果としては、より反射状態で情報が見えない構成が望まれていた。
【００１６】
また、特許文献５の発明では、ホログラム画像領域を透過状態で目視した場合は、ホログラム効果は目視できないが、ホログラム画像領域の光透過性部材で形成した潜像画像領域における複数の潜像画像線と潜像背景領域における複数の潜像背景線との透過光量の差異や透過光の方向性の差異等により、潜像画像領域が文字、マーク又は図柄として目視できることで本発明の目的や利用としては一部達成されている。しかし、更なる偽造防止効果を求める上で、目視以外でも真偽判別できる機能が備わっていることが望まれていた。
【課題を解決するための手段】
【００１７】
本発明の偽造防止用形成体は、光透過性基材上に光反射性部材が積層されるか、又は光反射性インキが塗布された基材に、複数の孔群によって構成された少なくとも１つの不可視画像を備えた偽造防止用形成体であって、孔群は、第１の方向に沿って第１の距離をもって一対となって配置された第１の開孔領域及び第２の開孔領域を有するｕｎｉｔが、規則的に一定ピッチで複数隣接して配置され、複数隣接して配置されたｕｎｉｔにおける第１の開孔領域は、第２の距離をもって配置され、第１の開孔領域及び第２の開孔領域は、オン、オフの関係にあり、かつ、開孔領域の面積率が同一として形成され、第１の開孔領域を開孔、すなわちオンとして形成することで、第１の不可視画像のネガ画像又はポジ画像の一方が形成され、第２の開孔領域を開孔、すなわちオンとして形成することで、第１の不可視画像のネガ画像又はポジ画像の他方が形成されたことを特徴としている。
【００１８】
また、本発明の偽造防止用形成体の基材は、少なくとも１つの可視画像が形成されたことを特徴としている。
【００１９】
また、本発明の偽造防止用形成体の第１の開孔領域及び第２の開孔領域は、光の透過光量を高めるために第１の方向と直行する方向にそって最長の直径を有する長円、最長の辺を有する長方形又は最長の対角線を有する多角形の形状で形成されたことを特徴としている。
【００２０】
また、本発明の偽造防止用形成体のｕｎｉｔは、第１の開孔領域及び第２の開孔領域が存在しない位置に、第３の開孔領域を有し、第３の開孔領域によって、第２の不可視画像が形成されたことを特徴としている。
【００２１】
また、本発明の偽造防止用形成体の複数隣接して配置されたｕｎｉｔのうち、オンとして配置された第１の開孔領域及び第２の開孔領域が第１の距離で配置された場合、いずれか一方の孔を開孔せず、複数隣接して配置されたｕｎｉｔのうち、オフとして配置された第１の開孔領域及び第２の開孔領域が第２の距離よりも長い距離で配置された場合に、所定の領域における光の透過光量を緩和するために、第１の開孔領域及び第２の開孔領域における半分又は略半分の開孔面積を有する第４の開孔領域を、第２の距離よりも長い距離をもって配置された第１の開孔領域及び第２の開孔領域の中心に配置されたことを特徴としている。
【００２２】
また、本発明の偽造防止用形成体のｕｎｉｔは、更に第１の方向に直行する第２の方向に沿って第１の距離をもって一対となって配置された第５の開孔領域及び第６の開孔領域を有し、複数隣接して配置されたｕｎｉｔにおける第５の開孔領域は、第２の距離をもって配置され、第５の開孔領域及び第６の開孔領域は、オン、オフの関係にあり、かつ、開孔領域の面積率が同一として形成され、第５の開孔領域をオン、すなわち開孔することで、第３の不可視画像のネガ画像又はポジ画像が形成され、第６の開孔領域をオン、すなわち開孔することで、第３の不可視画像のネガ画像又はポジ画像が形成されたことを特徴としている。
【００２３】
また、本発明の偽造防止用形成体の第５の開孔領域及び第６の開孔領域は、光の透過光量を高めるために第２の方向と直行する方向に沿って最長の直径を有する長円、最長の辺を有する長方形又は最長の対角線を有する多角形の形状で形成されたことを特徴としている。
【００２４】
また、本発明の偽造防止用形成体の複数隣接して配置されたｕｎｉｔのうち、オンとして配置された第５の孔及び第６の孔が第１の距離をもって配置された場合、いずれか一方の孔を開孔せず、複数隣接して配置されたｕｎｉｔのうち、オフとして配置された第５の開孔領域及び第６の開孔領域が第２の距離よりも長い距離で配置された場合に、所定の領域における光の透過光量を緩和するために、第５の開孔領域及び第６の開孔領域における半分又は略半分の開孔面積を有する第７の開孔領域を、第２の距離よりも長い距離をもって配置された第５の開孔領域及び第６の開孔領域の中心に配置されたことを特徴としている。
【００２５】
また、本発明の偽造防止用形成体の第１の開孔領域、第２の開孔領域、第３の開孔領域、第４の開孔領域、第５の開孔領域、第６の開孔領域及び第７の開孔領域は、それぞれ円形の形状又はそれぞれ多角形の形状を有することを特徴としている。
【００２６】
また、本発明の偽造防止用形成体のｕｎｉｔ同士の所定のピッチは、１ｍｍ以下であることを特徴としている。
【００２７】
また、本発明の偽造防止用形成体のｕｎｉｔ内における第１の開孔領域、第２の開孔領域、第３の開孔領域、第４の開孔領域、第５の開孔領域、第６の開孔領域及び第７の開孔領域のうち、開孔される領域の一部が結合して開孔されたことを特徴としている。
【００２８】
また、本発明の偽造防止用形成体の可視画像は、微細な凹凸によって形成された回折格子又は回折格子パターンによって形成されたことを特徴としている。
【発明の効果】
【００２９】
本発明のホログラムは、反射状態で目視した場合、光反射性部材により回折光や反射光でホログラム画像領域のホログラム効果を目視することができるが、ホログラム画像領域に形成された透過不可視画像領域は目視することができない。一方、ホログラム画像領域を透過状態で目視した場合は、ホログラム効果は目視できないが、ホログラム画像領域の透過不可視画像領域に形成された第1の不可視画像画線部と第1の不可視背景画線部との透過光量の差異により、透過不可視画像領域が文字、マーク、図柄として目視することができる。
【００３０】
さらに、ホログラム画像領域を透過状態で目視した状態において、基材のホログラム領域にレンチキュラーレンズ又は万線シートが重ね合わされることによって、少なくとも２種類以上の不可視画像が可視画像となって現れる。すなわち、透過光量の差異によって文字、マーク又は図柄が現出する透過不可視画像領域において、レンチキュラーレンズ又は万線シートが重ね合わされることにより、さらに複数の画像が出現する効果を奏している。したがって、反射状態ではホログラム効果、透過状態では第1の不可視画像が可視化し、さらに、レンチキュラーレンズ又は万線シートを重ね合わせることによって第２の不可視画像と第３の不可視画像とが可視化するという複数の効果を有している。
【００３１】
これにより、本発明は、目視の反射光にて確認できる第１の真偽判別効果と、目視の透過光にて確認できる第２の真偽判別効果と、目視の透過光と簡易的な判別道具にて確認できる第３の真偽判別効果を備えている。したがって、本発明のホログラムは、複写、複製に対して、異なる３種類の真偽判別効果を有することから、３重のセキュリティが付与されている。なお、本発明のホログラムは、紙、フィルム又はカード等の基材に貼り付けても同様な効果を得られ、銀行券や有価証券には好適である。ただし、基材は、光を一定以上透過する素材、材料でなければならない。
【００３２】
また、ホログラム画像領域の光反射性部材としては、例えば、アルミニウム等の光沢性が高い金属材で形成されるため、複写、複製に対する抵抗力が高い。その理由としては、カラーコピー機やスキャナ等の機器は、強い透過光を被複写物や被複製物に当てて入力画像を得るため、光反射性が高いアルミニウムは、透過光の反射率が高いことから、正確に再現することが難しい。加えて、本発明では、ホログラム画像領域に光透過性部材（例えば、透明の熱可塑性樹脂）に形成された透過不可視画像領域における第1の不可視画像画線部及び第1の不可視背景画線部は微細な孔であるため、それぞれの孔を偽造品において等しく複製することは極めて困難である。
【００３３】
また、本発明のホログラムは、基材に貼付しても、透過状態による不可視画像効果が得られる。例えば、紙等の基材自体に孔をあけて、透過状態で不可視画像を目視できる技術も開示されているが、この技術では、紙等の基材自体に孔をあけるため、孔をあけた領域の耐久性や強度が低下してしまうことは避けられないが、本発明のホログラムを基材に直接貼り付けた場合は、基材自体の耐久性は低下せず、ＡＴＭや券売機等の搬送に対しても悪影響を及ぼさない。
【００３４】
また、本発明のホログラムを貼付した基材は、利用者が反射光で目視した場合に透過不可視画像領域の存在を容易に意識されることはない。利用者が透過光で目視した場合にのみ、透過不可視画像領域に備わった第１の不可視画像が意識できるようになるが、透過不可視画像領域においてさらに第２の不可視画像及び第３の不可視画像が備わっていることが意識されることはない。すなわち、第２の不可視画像及び第３の不可視画像は、判別具を持っていない限り確認することができないという、より段階的にセキュリティ対策を備えることを可能にできるメリットがある。
【図面の簡単な説明】
【００３５】
【図１】光透過性基材１に貼付された箔状のホログラム３を「反射状態」で目視した説明図である。
【図２】ホログラム３のホログラム画像領域４において、観察角度によって複数の図柄とその色変化が確認できる状態の正面図である。
【図３】ホログラム３を貼付した光透過性基材１の表面に向けて光源５から照射した「反射状態」でＸ方向の所定の視角から目視した説明図である。
【図４】ホログラム３を貼付した光透過性基材１の表面に向けて光源５から照射した「反射状態」でＹ方向の所定の視角から目視した説明図である。
【図５】ホログラム３を貼付した光透過性基材１の表面から「透過状態」で目視した正面図である。
【図６】ホログラム３を貼付した光透過性基材１の裏面から光源５にて照射され、光透過性基材１の表面から目視した説明図である。
【図７】ホログラム３が貼付された光透過性基材１において光源５は基材の裏面から照射し、かつ、判別具であるレンチキュラーレンズ２をホログラム３が貼付された面に重ね合わせる状態が示された説明図である。
【図８】ホログラム３が貼付された光透過性基材１に判別具であるレンチキュラーレンズ２が重なった状態の断面図及び目視することができる画像の一例を示す説明図である。
【図９】ホログラム３が貼付された光透過性基材１に判別具であるレンチキュラーレンズ２が重なった状態の断面図及び目視することができる画像の一例を示す説明図である。
【図１０】光透過性基材１に貼付されたホログラム３における透過不可視画像領域６の基本構成要素が拡大して示された模式図である。
【図１１】透過不可視画像領域６は微細な複数のｕｎｉｔ３ａ〜３ｈがマトリックス状に組み合わされて構成された状態が示された説明図である。
【図１２】図１１で示された各ｕｎｉｔ３ａ〜３ｈを光透過性基材１上にマトリックス状に隙間なく、連続的に、かつ、規則的に配置された状態が示された説明図である。
【図１３】判別具であるレンチキュラーレンズ２の各レンズの中心線９が、図１１における線Ｌ１に一致するように、レンチキュラーレンズ２を光透過性基材１上のホログラム３に重ね合わせた状態が示された説明図である。
【図１４】判別具であるレンチキュラーレンズ２の各レンズの中心線９が、図１１における線Ｌ３に一致するように、レンチキュラーレンズ２を光透過性基材１上のホログラム３に重ね合わせた状態が示された説明図である。
【図１５】不可視画像を構成する各孔の形状が示された図である。
【図１６】光透過性基材１に貼付されたホログラム３における透過不可視画像領域６の基本構成要素が拡大して示された模式図である。
【図１７】透過不可視画像領域６は微細な複数のｕｎｉｔ３ａ〜３ｈがマトリックス状に組み合わされて構成された状態が示された説明図である。
【図１８】図１６で示された各ｕｎｉｔ３ａ〜３ｈを光透過性基材１上にマトリックス状に隙間なく、連続的に、かつ、規則的に配置された状態が示された説明図である。
【図１９】判別具であるレンチキュラーレンズ２の各レンズの中心線９が、図１６における線Ｌ１に一致するように、レンチキュラーレンズ２を光透過性基材１上のホログラム３に重ね合わせた状態が示された説明図である。
【図２０】判別具であるレンチキュラーレンズ２の各レンズの中心線９が、図１６における線Ｌ３に一致するように、レンチキュラーレンズ２を光透過性基材１上のホログラム３に重ね合わせた状態が示された説明図である。
【図２１】肉眼視では濃度が不均衡になるのを緩和するための、孔の削除並びに追加を実行するアルゴリズムを示したフローチャートである。
【図２２】肉眼視では濃度が不均衡になるのを緩和するための、孔の削除並びに追加を実行するアルゴリズムを示したフローチャートである。
【図２３】図２１及び図２２のアルゴリズムに従って、ｕｎｉｔ［ｈ，ｖ］の孔Ａ´［ｈ，ｖ］並びに孔Ｂ´［ｈ，ｖ］が削除された状態が示された図である。
【図２４】図２１及び図２２のアルゴリズムに従って、孔Ａ、孔Ａ´、孔Ｂ又は孔Ｂ´の半分又は略半分の空間面積を有する孔ａ、孔ｂ及び孔Ｅが追加された状態が示された図である。
【図２５】図２１及び図２２のアルゴリズムに従って、透過不可視画像領域６全域において、肉眼視での濃度の不均衡が緩和された状態が示された説明図である。
【図２６】図２５（ａ）及び図２５（ｂ）の透過不可視画像領域６が重畳されることによって、第２の不可視画像及び第３の不可視画像を同一面上に施した状態が示された説明図である。
【発明を実施するための形態】
【００３６】
本発明の実施形態について図面を用いて説明する。しかしながら、本発明は以下に述べる実施するための形態に限定されるものではなく、特許請求の範囲記載における技術的思想の範囲内であれば、その他のいろいろな形態が実施可能である。
【００３７】
まず、本発明で記載される「ホログラム効果」とは、例えば、図１に示された光透過性基材１に貼付された箔状のホログラム３を「反射状態」で目視したときに、ホログラム３に備えられたホログラム形成層において回折格子の回折光や反射光により、図柄の色彩が虹色に変化したり、画像が他の画像と切り替わるような効果をいうものである。ホログラム形成層には、回折格子又は回折格子パターンとなる微細な凹凸が形成され、この凹凸表面にアルミニウム等の光沢性が高い光反射性部材を蒸着等で密着させることで作製でき、広く一般に周知された技術である。具体的なホログラム効果としては、日本やユーロ等の銀行券に貼付されているホログラムのように、見る角度で複数の図柄や色彩が変化する等の効果をいう。また、ホログラム効果は、銀行券のホログラムで見られる効果には限らず、公知のカード、商品券、証明書に貼付されたホログラムの効果でも構わない。
【００３８】
ホログラム３の製造段階におけるホログラムシート基材は、透明プラスチックが望ましく、例えば、ＰＥＴ等の公知の樹脂を使用すれば良い。光反射性部材には、アルミニウム、銅、ニッケル又は錫等があるが、高輝度で経済性に有利なアルミニウムが好適であり、真空蒸着やスパッタリングを利用して形成すれば良い。また、光反射性部材にアルミニウムを使用した場合、１００〜２０００Åの厚みが望ましい。一方、ホログラム形成層の回折格子の構成としては、公知のレリーフ型ホログラム、レインボー型ホログラム等の公知である微細な凹凸パターンを形成したホログラムを使用すれば良く、特に制約されるものではない。
【００３９】
（ホログラム効果）
上記ホログラム３において、本発明による独自の効果が得られる構成について説明する。すなわち、図３に示されたように、ホログラム３を貼付した光透過性基材１の表面（光透過性基材１に対してホログラム３を貼付した面）に向けて光源５から照射した「反射状態」で目視した場合は、回折格子による回折光により、観察する角度によって様々な色と形が個々に遷移し出現するホログラム効果が目視できる。具体的には、図２に示されたように、ホログラム３のホログラム画像領域４において、観察角度によって複数の図柄（１）（２）（３）（４）が出現し、さらに図柄の色変化が確認できる。例えば、図３では、Ｘ方向の所定の視角［Ｘ１］で観察すると「ＮＰＢ」の図柄（１）、Ｘ方向の所定の視角［Ｘ２］で観察すると「星」の図柄（２）、そして、Ｘ方向の所定の視角［Ｘ３］で観察すると、［Ｘ１］から目視した場合の色彩と異なる「ＮＰＢ」の図柄（１）が現れる。一方、図４では、Ｙ方向の所定の視角［Ｙ１］で観察すると「２００９」の図柄（３）、Ｙ方向の所定の視角［Ｙ２］で観察すると「篭目模様」の図柄（４）、そして、Ｙ方向の所定の視角［Ｙ３］で観察すると［Ｙ１］から目視した場合の色彩と異なる「２００９」の図柄（３）が現れるホログラム効果を示している。なお、観察角度により出現するホログラム画像の回数やホログラム画像の画像変化（切替、移動、膨張又は収縮等）の方法には、特段の制約はなく、ホログラム効果が一つのパターンでも問題はない。
【００４０】
（透過不可視画像効果）
図５は、ホログラム３を貼付した光透過性基材１の表面から「透過状態」で目視した場合が示されたものである。図６に示されたように、光透過性基材１の裏面から光源５を照射することにより、光透過性基材１の表面の視角［Ｔ１］から観察すると、図５で示された図柄（５）のようになる。このとき、ホログラム画像領域４は目視できないが、ホログラム３上に有する微細な多孔群によって構成された透過不可視画像領域６が光透過性基材１を通して光を透過する。さらに、透過不可視画像領域６の第１の不可視画像画線部７ａと第１の不可視背景画線部７ｂとの透過光量の差異によって、第１の不可視画像として備わっていた、例えば、「桜」の模様が透過状態の可視画像として目視できる。すなわち、ホログラム画像領域４と、透過不可視画像領域６とは、ホログラム３上に重畳しているものである。
【００４１】
なお、光透過性基材１は光を一定以上透過する材料や材質で構成する必要がある。また、透過不可視画像領域６の第１の不可視画像画線部７ａと第１の不可視背景画線部７ｂとの透過光量の差異が生ずるための要素として、孔と称する微細な多孔群の空間面積に違いのあることが作用し、第１の不可視画像画線部７ａと第１の不可視背景画線部７ｂとが区別されるものである。この多孔群については後述にて詳細に説明する。さらに、透過状態で目視する場合、光源５を表面（ホログラム３側）にし、裏面から目視しても、同様な第１の不可視画像の現出効果が得られる。透過不可視画像領域６に備わる第１の不可視画像とされる画像情報としては、文字、数字、図柄又はマーク等を適宜選択すれば良い。一方で、ホログラム画像領域４に光透過性部材から成る第１の不可視画像画線部７ａと第１の不可視背景画線部７ｂは微細な孔で構成され、反射状態では目視できないため、ホログラム効果を目視する時に、第１の不可視画像画線部７ａと第１の不可視背景画線部７ｂでホログラム効果を阻害することはない。
【００４２】
（判別具による不可視画像の現出効果）
本発明では、図７に示されるように、ホログラム３が貼付された光透過性基材１において光源５は基材の裏面から照射し、かつ、判別具であるレンチキュラーレンズ２をホログラム３が貼付された面に重ね合わせることにより、第２、第３の不可視画像を容易に可視画像として発現させて真偽判別することができるものである。レンチキュラーレンズ２は、透明性を有する素材であり、光透過性基材１から透過された光を充分に透過するものである。
【００４３】
そして、光透過性基材１上に判別具であるレンチキュラーレンズ２を所定の角度（これを０度とする）をもって重ね合わせると、図５で示された、例えば、図柄（６）の「Ａ」の文字ような第２の不可視画像８ａが可視画像となって発現する。また、光透過性基材１上に判別具であるレンチキュラーレンズ２を所定の角度に対して９０度を成す角度をもって重ね合わせると、図５で示された、例えば、図柄（７）の「Ｂ」の文字ような第３の不可視画像８ｂが可視画像となって発現する。なお、第２の不可視画像８ａ及び第３の不可視画像８ｂは、文字、数字、図柄又はマーク等適宜選択すれば良い。
【００４４】
図８は、ホログラム３が貼付された光透過性基材１に判別具であるレンチキュラーレンズ２が重なった状態の断面図で、観察者から見てレンチキュラーレンズ２の中心線が０度の状態が示されたものである。光透過性基材１の表面の視角［Ｔ２］から観察すると、レンチキュラーレンズ２と光透過性基材１とが重なる相対的な位置によって、図５で示された図柄（６）がネガ状又はポジ状のどちらかに見える。一方、図９は、ホログラム３が貼付された光透過性基材１に判別具であるレンチキュラーレンズ２が重なった状態の断面図で、観察者から見てレンチキュラーレンズ２の中心線が９０度の状態が示されたものである。光透過性基材１の表面の視角［Ｔ３］から観察すると、レンチキュラーレンズ２と光透過性基材１とが重なる相対的な位置によって、図５で示された図柄（７）がネガ状又はポジ状のどちらかに見える。このように、レンチキュラーレンズ２と光透過性基材１との間の相対的な位置によって生ずるものであり、本発明の効果の範囲内である。
【００４５】
（透過不可視画像の構成）
次に、透過不可視画像領域６の構成について詳細に説明する。図１０は、光透過性基材１に貼付されたホログラム３における透過不可視画像領域６の基本構成要素、すなわち、ｕｎｉｔを模式的に拡大して示したものである。ｕｎｉｔにおける縦横の寸法は、例えば、４２０μｍというように１ｍｍ以下の大きさであり、図７の拡大部分で示されたレンチキュラーレンズ２の中心線のピッチと一致している。ホログラム３における透過不可視画像領域６の基本構成要素は、孔Ａ、孔Ａ´、孔Ｂ、孔Ｂ´及び孔Ｃから成る微細な空間部を形成する領域を有し、孔Ａ、孔Ａ´、孔Ｂ、孔Ｂ´及び孔Ｃは、同一の直径で同一の空間面積を有し、所定の位置関係をもって配置されている。図１０に示されたように、孔Ａと孔Ａ´とは、第1の方向に沿って第１の距離、すなわち、線Ｌ１と線Ｌ２の距離をもって対を成しており、相互にオン、オフの関係にある。このような孔Ａと孔Ａ´とが存在することで通常の可視条件下では視認されず、孔Ａ又は孔Ａ´のいずれか一方が塞がることによって、孔Ａのみにより第２の不可視画像（ネガ又はポジ）、孔Ａ´のみにより第２の不可視画像（ポジ又はネガ）がそれぞれ形成されている。同様に、図１０で示された、孔Ｂと孔Ｂ´とは、第２の方向に沿って第１の距離、すなわち、線Ｌ３と線Ｌ４の距離をもって対を成してオン、オフの関係にある。孔Ｂ又は孔Ｂ´のいずれか一方が塞がることによって、孔Ｂのみにより第３の不可視画像（ネガ又はポジ）、孔Ｂ´のみにより第３の不可視画像（ポジ又はネガ）がそれぞれ形成されている。また、各孔の最小孔寸法Ｐは、ｕｎｉｔにおける辺寸法の２５％程度の長さが適当である。本例では、１０５μｍと設定した。
【００４６】
一方、図１０に示された孔Ｃは、図５で示された透過不可視画像領域６の第１の不可視画像画線部７ａと第１の不可視背景画線部７ｂとを区別するための構成要素であり、孔Ｃの有無によって透過不可視画像領域６の第１の不可視画像画線部７ａと第１の不可視背景画線部７ｂとの透過光量の差を設け、「桜」の模様等が任意の図形又は文字から成る模様を表すことを可能にしている。
【００４７】
（判別具による不可視画像の構成）
この透過不可視画像領域６について、更に詳細に説明する。透過不可視画像領域６は、図１１に示されたような微細な複数のｕｎｉｔ３ａ〜３ｈがマトリックス状に組み合わされて構成されるものである。透過不可視画像領域６における第１の不可視画像画線部７ａを構成するものはｕｎｉｔ３ａ、３ｂ、３ｃ及び３ｄの４つであり、第１の不可視背景画線部７ｂを構成するものは、ｕｎｉｔ３ｅ、３ｆ、３ｇ及び３ｈの４つである。
【００４８】
ｕｎｉｔ３ａは、図１０で示された孔Ａと孔Ｂとを備え、孔Ａは、線Ｌ１の位置ではオン、線Ｌ２の位置ではオフの役割を成し、孔Ｂは、線Ｌ３の位置ではオン、線Ｌ４の位置ではオフの役割を成している。ｕｎｉｔ３ｂは、図１０で示された孔Ａと孔Ｂ´とを備え、孔Ａは、線Ｌ１の位置ではオン、線Ｌ２の位置ではオフの役割を成し、孔Ｂ´は、線Ｌ３の位置ではオフ、線Ｌ４の位置ではオンの役割を成している。ｕｎｉｔ３ｃは、図１０で示された孔Ａ´と孔Ｂとを備え、孔Ａ´は、線Ｌ１の位置ではオフ、線Ｌ２の位置ではオンの役割を成し、孔Ｂは、線Ｌ３の位置ではオン、線Ｌ４の位置ではオフの役割を成している。ｕｎｉｔ３ｄは、図１０で示された孔Ａ´と孔Ｂ´とを備え、孔Ａ´は、線Ｌ１の位置ではオフ、線Ｌ２の位置ではオンの役割を成し、孔Ｂ´は、線Ｌ３の位置ではオフ、線Ｌ４の位置ではオンの役割を成している。
【００４９】
ｕｎｉｔ３ｅは、図１０で示された孔Ａと孔Ｂと孔Ｃとを備え、孔Ａは、線Ｌ１の位置ではオン、線Ｌ２の位置ではオフの役割を成し、孔Ｂは、線Ｌ３の位置ではオン、線Ｌ４の位置ではオフの役割を成している。ｕｎｉｔ３ｆは、図１０で示された孔Ａと孔Ｂ´と孔Ｃとを備え、孔Ａは、線Ｌ１の位置ではオン、線Ｌ２の位置ではオフの役割を成し、孔Ｂ´は、線Ｌ３の位置ではオフ、線Ｌ４の位置ではオンの役割を成している。ｕｎｉｔ３ｇは、図１０で示された孔Ａ´と孔Ｂと孔Ｃとを備え、孔Ａ´は、線Ｌ１の位置ではオフ、線Ｌ２の位置ではオンの役割を成し、孔Ｂは、線Ｌ３の位置ではオン、線Ｌ４の位置ではオフの役割を成している。ｕｎｉｔ３ｈは、図１０で示された孔Ａ´と孔Ｂ´と孔Ｃとを備え、孔Ａ´は、線Ｌ１の位置ではオフ、線Ｌ２の位置ではオンの役割を成し、孔Ｂ´は、線Ｌ３の位置ではオフ、線Ｌ４の位置ではオンの役割を成している。
【００５０】
図１２は、図１１で示された各ｕｎｉｔ３ａ〜３ｈを光透過性基材１上にマトリックス状に隙間なく、連続的に、かつ、規則的に配置された状態が示されたものである。この図１２は、光透過性基材１に貼付されたホログラム３の透過不可視画像領域６を構成するマトリックス状に配置された複数の孔において、第２の不可視画像を構成する孔Ａ及び孔Ａ´と、第３の不可視画像を構成する孔Ｂ及び孔Ｂ´と、第１の不可視画像を構成する孔Ｃとのそれぞれの構成が解るように簡易的に示した模式図である。なお、図１２（ａ）と図１２（ｂ）は、同じ基材であって、第２の不可視画像及び第３の不可視画像とそれぞれの位置構成が解るように太実線で簡易的に示した模式図であり、図１２（ａ）は、第２の不可視画像「Ａ」の位置を表し、図１２（ｂ）は、第３の不可視画像「Ｂ」の位置を表したものである。
【００５１】
つまり、図６で示されたように、判別具であるレンチキュラーレンズ２を重ねていない状態では、第１の不可視画像のみが透過光によって視認されるが、第２の不可視画像及び第３の不可視画像は視認されない。一方、図８又は図９で示されたように、レンチキュラーレンズ２をホログラム３上の所定の位置に重ね合わせると、それまで視認されていた第１の不可視画像が全く確認できなくなり、逆に、第２の不可視画像又は第３の不可視画像のそれぞれが可視画像となって視認されるようになる。このような本実施の形態１による基材における画像のスイッチ効果の原理について、以下に説明する。
【００５２】
図７又は図８に示されたように、ホログラム３を透過光で正面から目視で観察した状態を図１３に示す。図１３（ａ）は、光源５からの照射によってホログラム３に備わっている透過不可視画像領域６に対して、判別具であるレンチキュラーレンズ２の各レンズの中心線９が、図１１における線Ｌ１に一致するように、レンチキュラーレンズ２を光透過性基材１上のホログラム３に重ね合わせた状態が示されたものである。レンチキュラーレンズ２の中心線９が図１３（ａ）に示された位置にある場合、中心線９上に位置するのは孔Ａと、孔Ｂ及びＢ´となっている。レンチキュラーレンズの特性によって、中心線９に位置する孔Ａ、Ｂ及びＢ´が膨張して見えるため、目視では図１３（ｂ）に示されたような透過光による可視画像が発現する。ここで、孔Ｂ及びＢ´は、オン、オフの関係にあり、かつ、面積が同一であるため、これらにより形成される画像は視認されない。このため、孔Ａにより形成される第２の不可視画像「Ａ」のみが視認される。また、レンチキュラーレンズ２の中心線９が図１１における線Ｌ２に一致した位置にあるときは、孔Ａ´が膨張して見える。これにより、第２の不可視画像「Ａ」がネガポジのいずれかの状態で可視画像となって発現する。
【００５３】
次に、図７又は図９に示されたように、ホログラム３を透過光で正面から目視で観察した状態を図１４に示す。図１４（ａ）は、透過光にて観察したホログラム３に対して、判別具であるレンチキュラーレンズ２の各レンズの中心線９が、図１１における線Ｌ３に一致するように、レンチキュラーレンズ２を光透過性基材１上のホログラム３に重ね合わせた状態が示されたものである。レンチキュラーレンズ２の中心線９が図１４（ａ）に示された位置にある場合、中心線９上に位置するのは孔Ｂ、Ａ及びＡ´となっている。レンチキュラーレンズの特性によって、中心線９に位置する孔Ｂ、Ａ及びＡ´が膨張して見えるため、目視では図１４（ｂ）に示されたような透過光による可視画像が発現する。ここで、孔Ａ及びＡ´は、オン、オフの関係にあり、かつ、面積が同一であるため、これらにより形成される画像は視認されない。このため、孔Ｂにより形成される第３の不可視画像「Ｂ」のみが視認される。また、レンチキュラーレンズ２の中心線９が図１１における線Ｌ４に一致した位置にあるときは、孔Ｂ´が膨張して見える。これにより、第３の不可視画像「Ｂ」がネガポジのいずれかの状態で可視画像となって発現する。
【００５４】
本発明では、判別具としてレンチキュラーレンズを用いているが、光を透過できる素材であれば何ら限定するものではなく、例えば、判別具を万線フィルタとした場合であっても同様の効果を確認することができる。また、レンチキュラーレンズでの観察時において、孔Ａ、Ａ´、Ｂ、Ｂ´及びＣは、ほとんど視認されないため、第２の不可視画像及び第３の不可視画像が可視画像として発現したときの視認性を阻害することはない。
【００５５】
また、発明を実施するための形態におけるホログラム３上の孔Ａ、Ａ´、Ｂ、Ｂ´及びＣは、角丸四角形を有している。しかし、このような形状には限定されず、図１５に示される、円形（ａ）、四角形（ｂ）、六角形（ｃ）、楕円形（ｄ）、長方形（ｅ）又は菱形（ｆ）等、色々な形状を用いることが可能である。この場合、各孔Ａ、Ａ´、Ｂ、Ｂ´及びＣがそれぞれ異なっていても良い。孔Ａと孔Ａ´とが対を成してオン、オフの関係にあり、かつ、空間面積が同一であって第２の不可視画像を構成し、孔Ｂと孔Ｂ´とが対を成してオン、オフの関係にあり、かつ、空間面積が同一であって第３の不可視画像を構成し、さらに孔Ｃが第１の不可視画像として、本発明で示された観察条件で視認されるものであれば、孔の形状は何ら限定するものではない。
【００５６】
さらに、発明を実施するための形態おける光透過性基材１は、紙の他、透明性を有するプラスチックカード、プラスチックフイルム、ガラス、不織布又は布等を利用しても、同様な効果が得られる。なお、便宜上、第１の不可視画像画線部７ａ及び第１の不可視背景画線部７ｂを拡大して示しており、実際の構成は微細であり図示する大きさでは構成されていない。また、第１の不可視画像画線部７ａ及び第１の不可視背景画線部７ｂは、前述のとおり反射状態で見えないことが望ましいが、不可視画像線又は不可視画像背景線の一部が、反射状態で若干見える構成であっても、透過不可視画像領域６から成る情報が認識できず（又は気づかず）、かつ、ホログラム効果の視認性を著しく阻害しなければ、本発明の技術的思想の範囲内である。
【００５７】
（１）実施の形態１
次に、本発明における不可視画像をより鮮明に発現できる孔の構成について詳細に説明する。図１６は、光透過性基材１に貼付されたホログラム３における透過不可視画像領域６の基本構成要素、すなわち、ｕｎｉｔが模式的に拡大して示されたものである。ｕｎｉｔにおける縦横の寸法は、例えば、４２０μｍというように１ｍｍ以下の大きさであり、図７の拡大部分で示されたレンチキュラーレンズ２の中心線のピッチと一致している。ホログラム３における透過不可視画像領域６の基本構成要素は、孔Ａ、孔Ａ´、孔Ｂ、孔Ｂ´及び孔Ｃから成る微細な空間部があり、所定の位置関係をもって配置されている。また、孔Ａと孔Ａ´とは横長の形状を成し、孔Ｂと孔Ｂ´とは縦長の形状を成している。これは、第２の不可視画像、第３の不可視画像が判別具によって可視化した際により鮮明に見えるようにしているものであるが、詳細は後述にて説明する。
【００５８】
また、図１６（ａ）に示されたように、孔Ａと孔Ａ´とは、第1の方向に沿って第１の距離、すなわち、線Ｌ１と線Ｌ２の距離をもって対を成しており、相互にオン、オフの関係にある。そして、孔Ａと孔Ａ´とは、空間面積が同一である。このような孔Ａと孔Ａ´とが存在することで通常の可視条件下では視認されず、孔Ａ又は孔Ａ´のいずれか一方が塞がることによって、孔Ａのみにより第２の不可視画像（ネガ又はポジ）、孔Ａ´のみにより第２の不可視画像（ポジ又はネガ）がそれぞれ形成されている。同様に、図１６（ｂ）で示された、孔Ｂと孔Ｂ´とは、第２の方向に沿って第１の距離、すなわち、線Ｌ３と線Ｌ４の距離をもって対を成してオン、オフの関係にあり、かつ、空間面積が同一である。孔Ｂ又は孔Ｂ´のいずれか一方が塞がることによって、孔Ｂのみにより第３の不可視画像（ネガ又はポジ）、孔Ｂ´のみにより第３の不可視画像（ポジ又はネガ）がそれぞれ形成されている。また、各孔の最小孔寸法Ｐは、ｕｎｉｔにおける縦横の寸法の２５％程度の長さが適当である。本例では、１０５μｍと設定した。さらに、孔Ａと孔Ａ´、又は孔Ｂと孔Ｂ´との間隔Ｊは任意であるが、望ましくはｕｎｉｔの寸法の２５％程度の１０５μｍとしている。これらの数値は、本実施の形態１において、ホログラム３に空間部を設ける際に加工し易いための設計値であって、本発明の効果が得られる範囲であれば必ずしもこの通りではない。
【００５９】
一方、図１６（ｃ）に示された孔Ｃは、図５で示された透過不可視画像領域６の第１の不可視画像画線部７ａと第１の不可視背景画線部７ｂとを区別するための構成要素であり、孔Ｃの有無によって透過不可視画像領域６の第１の不可視画像画線部７ａと第１の不可視背景画線部７ｂとの透過光量の差を設け、「桜」の模様等が任意の図形又は文字から成る模様を表すことを可能にしている。また、孔Ｃの縦横孔寸法ｈは、ｕｎｉｔの寸法の半分を限度とし、本発明の効果が得られる範囲であれば大きさ形状を何ら制限するものではない。
【００６０】
（判別具による不可視画像の構成）
この透過不可視画像領域６について、更に詳細に説明する。透過不可視画像領域６は、図１７に示されたような微細な複数のｕｎｉｔ３ａ〜３ｈがマトリックス状に組み合わされて構成されるものである。透過不可視画像領域６における第１の不可視画像画線部７ａを構成するものはｕｎｉｔ３ａ、３ｂ、３ｃ及び３ｄの４つであり、第１の不可視背景画線部７ｂを構成するものはｕｎｉｔ３ｅ、３ｆ、３ｇ及び３ｈの４つである。このとき、孔Ａ、孔Ａ´、孔Ｂ、孔Ｂ´及び孔Ｃの一部が結合し、個々のｕｎｉｔ３ａ〜３ｈごとに一つの孔として一体化している。これにより、光透過度が増し、第２の不可視画像及び第３の不可視画像が、判別具によって可視化した際により鮮明にさせることができるものである。
【００６１】
ｕｎｉｔ３ａは、図１６（ａ）で示された孔Ａと図１６（ｂ）で示された孔Ｂとを備え、孔Ａは、線Ｌ１の位置ではオン、線Ｌ２の位置ではオフの役割を成し、孔Ｂは、線Ｌ３の位置ではオン、線Ｌ４の位置ではオフの役割を成している。ｕｎｉｔ３ｂは、図１６（ａ）で示された孔Ａと図１６（ｂ）で示された孔Ｂ´とを備え、孔Ａは、線Ｌ１の位置ではオン、線Ｌ２の位置ではオフの役割を成し、孔Ｂ´は、線Ｌ３の位置ではオフ、線Ｌ４の位置ではオンの役割を成している。ｕｎｉｔ３ｃは、図１６（ａ）で示された孔Ａ´と図１０（ｂ）で示された孔Ｂとを備え、孔Ａ´は、線Ｌ１の位置ではオフ、線Ｌ２の位置ではオンの役割を成し、孔Ｂは、線Ｌ３の位置ではオン、線Ｌ４の位置ではオフの役割を成している。ｕｎｉｔ３ｄは、図１６（ａ）で示された孔Ａ´と図１６（ｂ）で示された孔Ｂ´とを備え、孔Ａ´は、線Ｌ１の位置ではオフ、線Ｌ２の位置ではオンの役割を成し、孔Ｂ´は、線Ｌ３の位置ではオフ、線Ｌ４の位置ではオンの役割を成している。
【００６２】
ｕｎｉｔ３ｅは、図１６（ａ）で示された孔Ａと図１６（ｂ）で示された孔Ｂと図１６（ｃ）で示された孔Ｃとを備え、孔Ａは、線Ｌ１の位置ではオン、線Ｌ２の位置ではオフの役割を成し、孔Ｂは、線Ｌ３の位置ではオン、線Ｌ４の位置ではオフの役割を成している。ｕｎｉｔ３ｆは、図１６（ａ）で示された孔Ａと図１６（ｂ）で示された孔Ｂ´と図１０（ｃ）で示された孔Ｃとを備え、孔Ａは、線Ｌ１の位置ではオン、線Ｌ２の位置ではオフの役割を成し、孔Ｂ´は、線Ｌ３の位置ではオフ、線Ｌ４の位置ではオンの役割を成している。ｕｎｉｔ３ｇは、図１６（ａ）で示された孔Ａ´と図１６（ｂ）で示された孔Ｂと図１６（ｃ）で示された孔Ｃとを備え、孔Ａ´は、線Ｌ１の位置ではオフ、線Ｌ２の位置ではオンの役割を成し、孔Ｂは、線Ｌ３の位置ではオン、線Ｌ４の位置ではオフの役割を成している。ｕｎｉｔ３ｈは、図１６（ａ）で示された孔Ａ´と図１６（ｂ）で示された孔Ｂ´と図１６（ｃ）で示された孔Ｃとを備え、孔Ａ´は、線Ｌ１の位置ではオフ、線Ｌ２の位置ではオンの役割を成し、孔Ｂ´は、線Ｌ３の位置ではオフ、線Ｌ４の位置ではオンの役割を成している。
【００６３】
図１８は、図１７で示された各ｕｎｉｔ３ａ〜３ｈを光透過性基材１上にマトリックス状に隙間なく、連続的に、かつ、規則的に配置された状態が示されたものである。この図１８は、光透過性基材１に貼付されたホログラム３の透過不可視画像領域６を構成するマトリックス状に配置された複数の孔において、第２の不可視画像を構成する孔Ａ及び孔Ａ´と、第３の不可視画像を構成する孔Ｂ及び孔Ｂ´と、第１の不可視画像を構成する孔Ｃとのそれぞれの構成が解るように簡易的に示した模式図である。なお、図１８（ａ）と図１８（ｂ）は、同じ基材であって、第２の不可視画像及び第３の不可視画像とそれぞれの位置構成が解るように太実線で簡易的に示した模式図であり、図１８（ａ）は第２の不可視画像「Ａ」の位置を表し、図１８（ｂ）は第３の不可視画像「Ｂ」の位置を表したものである。
【００６４】
つまり、図６で示されたように、判別具であるレンチキュラーレンズ２を重ねていない状態では、第１の不可視画像のみが透過光によって視認されるが、第２の不可視画像及び第３の不可視画像は視認されない。一方、図８又は図９で示されたように、レンチキュラーレンズ２をホログラム３上の所定の位置に重ね合わせると、それまで視認されていた第１の不可視画像がまったく確認できなくなり、逆に、第２の不可視画像又は第３の不可視画像のそれぞれが可視画像となって視認されるようになる。このような本実施の形態１による基材における画像のスイッチ効果の原理について、以下に説明する。
【００６５】
図７又は図８に示されたように、ホログラム３を透過光で正面から目視で観察した状態を図１９に示す。図１９（ａ）は、光源５からの照射によってホログラム３に備わっている透過不可視画像領域６に対して、判別具であるレンチキュラーレンズ２の各レンズの中心線９が、図１７における線Ｌ１に一致するように、レンチキュラーレンズ２を光透過性基材１上のホログラム３に重ね合わせた状態が示されたものである。レンチキュラーレンズ２の中心線９が図１９（ａ）に示された位置にある場合、中心線９上に位置するのは孔Ａと、孔Ｂ及びＢ´となっている。レンチキュラーレンズの特性によって、中心線９に位置する孔Ａ、Ｂ及びＢ´が膨張して見えるため、目視では、図１９（ｂ）に示されたような透過光による可視画像が発現する。ここで、孔Ｂ及びＢ´は、オン、オフの関係にあり、かつ、面積が同一であるため、これらにより形成される画像は視認されない。このため、孔Ａにより形成される第２の不可視画像「Ａ」のみが視認される。また、レンチキュラーレンズ２の中心線９が図１７における線Ｌ２に一致した位置にあるときは、孔Ａ´が膨張して見える。これにより、第２の不可視画像「Ａ」がネガポジのいずれかの状態で可視画像となって発現する。
【００６６】
次に、図７又は図９に示されたように、ホログラム３を透過光で正面から目視で観察した状態を図２０に示す。図２０（ａ）は、透過光にて観察したホログラム３に対して、判別具であるレンチキュラーレンズ２の各レンズの中心線９が、図１７における線Ｌ３に一致するように、レンチキュラーレンズ２を光透過性基材１上のホログラム３に重ね合わせた状態が示されたものである。レンチキュラーレンズ２の中心線９が図２０（ａ）に示された位置にある場合、中心線９上に位置するのは孔Ｂ、Ａ及びＡ´となっている。レンチキュラーレンズの特性によって、中心線９に位置する孔Ｂ、Ａ及びＡ´が膨張して見えるため、目視では、図２０（ｂ）に示されたような透過光による可視画像が発現する。ここで、孔Ａ及びＡ´は、オン、オフの関係にあり、かつ、面積が同一であるため、これらにより形成される画像は視認されない。このため、孔Ｂにより形成される第３の不可視画像「Ｂ」のみが視認される。また、レンチキュラーレンズ２の中心線９が図１７における線Ｌ４に一致した位置にあるときは、孔Ｂ´が膨張して見える。これにより、第３の不可視画像「Ｂ」がネガポジのいずれかの状態で可視画像となって発現する。
【００６７】
（２）実施の形態２
図１２又は図１８で示された透過不可視画像領域６の状態でも、肉眼視において不可視画像を施している状態になっているが、マトリクス状に配置されたｕｎｉｔの関係によって、施された孔が隣接した場合又は孔と孔との間隔が第２の距離以上となった場合に、部分的に光の透過光量が少なく（暗く）見えたり、また、部分的に光の透過光量が多く（明るく）見えたりして、肉眼視では濃度が不均衡となって見えることもある。
【００６８】
この濃度の不均衡に見えるのを緩和するため、図２１に示されたアルゴリズムによって最小単位であるｕｎｉｔ［ｈ，ｖ］ごとに、孔の削除並びに追加を実行するものである。なお、［ｖ］はｕｎｉｔを縦上から数えたステップ数で、［ｈ］はｕｎｉｔを横左から数えたステップ数である。まず、処理ｆ１にて、マトリクス状に配置した列ごとのｕｎｉｔ［ｈ，ｖ］において順次孔Ａ［ｈ，ｖ］及び孔Ａ´［ｈ，ｖ］の検知が行われる。なお、孔Ａ［ｈ，ｖ］及び孔Ａ´［ｈ，ｖ］を検知する方法は、例えば、印刷模様３がビットマップ形式の２値画像の場合、処理すべきｕｎｉｔ内において、一般的にラベリングと呼ばれる処理によって、孔Ａ［ｈ，ｖ］又は孔Ａ´［ｈ，ｖ］を識別して削除しても良い。
【００６９】
次に、処理ｆ２にて、ｕｎｉｔ［ｈ，ｖ］に孔Ａ´［ｈ，ｖ］を有し、かつ、ｕｎｉｔ［ｈ，ｖ＋１］に孔Ａ［ｈ，ｖ＋１］を有する条件に一致したとき、処理ｆ３にて、ｕｎｉｔ［ｈ，ｖ］における本来配置される位置である孔Ａ´［ｈ，ｖ］の削除が行われる。すなわち、図２３（ａ）に示されるように、ｕｎｉｔ［ｈ，ｖ］、ｕｎｉｔ［ｈ，ｖ＋１］、ｕｎｉｔ［ｈ，ｖ＋２］の配置の際、ｕｎｉｔ［ｈ，ｖ］の孔Ａ´［ｈ，ｖ］とｕｎｉｔ［ｈ，ｖ＋１］の孔Ａ［ｈ，ｖ］が隣接している場合、図２３（ｂ）に示されるように、ｕｎｉｔ［ｈ，ｖ］の孔Ａ´［ｈ，ｖ］が削除される。また、処理ｆ２の条件に一致しない場合は処理４に移行する。また、部分的に孔Ａ´が削除されることによって、孔Ａの総面積に対し孔Ａ´の総面積が少ない状態となる。
【００７０】
次に、図２１に示される処理ｆ４にて、ｕｎｉｔ［ｈ，ｖ］に孔Ａ［ｈ，ｖ］を有し、かつ、ｕｎｉｔ［ｈ，ｖ＋１］に孔Ａ´［ｈ，ｖ］を有する条件に一致したとき、処理ｆ５にて、ｕｎｉｔ［ｈ，ｖ］における孔Ａ´とｕｎｉｔ[ｈ，ｖ＋１]における孔Ａが配置される中心の位置に孔ａ［ｈ，ｖ］の追加を行う。すなわち、図２４（ｂ）に示されるうに、ｕｎｉｔ［ｈ，ｖ］の孔Ａ´とｕｎｉｔ[ｈ，ｖ＋１]の孔Ａが本来配置される中間の位置に、孔Ａ又は孔Ａ´の半分又は略半分の空間面積を有する孔ａが追加される。これにより、ｕｎｉｔ［ｈ，ｖ］とｕｎｉｔ［ｈ，ｖ＋１］間における肉眼視での濃度の不均衡が緩和される。
【００７１】
次に、図２１に示される処理ｆ６にて、ｕｎｉｔ［ｈ，ｖ］に孔Ａ´［ｈ，ｖ］を有し、ｕｎｉｔ［ｈ，ｖ＋１］に孔がなく、かつ、ｕｎｉｔ［ｈ，ｖ＋２］に孔Ａ［ｈ，ｖ］を有する条件に一致したとき、処理ｆ７にて、ｕｎｉｔ［ｈ，ｖ＋１］における孔Ｅ［ｈ，ｖ＋１］の追加を行う。すなわち、図２４（ｃ）に示されるように、ｕｎｉｔ［ｈ，ｖ＋１］における孔Ａ及び孔Ａ´が配置される中心の位置に、孔Ａ又は孔Ａ´の半分又は略半分の空間面積を有する孔Ｅが追加される。これにより、ｕｎｉｔ［ｈ，ｖ］とｕｎｉｔ［ｈ，ｖ＋２］間における肉眼視での濃度の不均衡が緩和される。
【００７２】
次に、図２１に示される処理ｆ８にて、ｕｎｉｔ［ｈ，ｖ］に孔Ａ´［ｈ，ｖ］を有し、ｕｎｉｔ［ｈ，ｖ＋１］に孔がなく、かつ、ｕｎｉｔ［ｈ，ｖ＋２］に孔Ａ´［ｈ，ｖ］を有する条件に一致したとき、処理ｆ９にて、ｕｎｉｔ［ｈ，ｖ＋１］における孔Ｅ［ｈ，ｖ＋１］及びｕｎｉｔ［ｈ，ｖ＋１］の孔Ａ´とｕｎｉｔ［ｈ，ｖ＋２］の孔Ａが配置される中心の位置に、孔ａ［ｈ，ｖ＋１］の追加を行う。すなわち、図２４（ｄ）に示されるように、ｕｎｉｔ［ｈ，ｖ＋１］における孔Ａ及び孔Ａ´が配置される中心の位置に、孔Ａ又は孔Ａ´の半分又は略半分の空間面積を有する孔Ｅが追加され、ｕｎｉｔ［ｈ，ｖ＋１］の孔Ａ´とｕｎｉｔ［ｈ，ｖ＋２］の孔Ａが配置される中心の位置に、孔ａが追加される。これにより、ｕｎｉｔ［ｈ，ｖ］とｕｎｉｔ［ｈ，ｖ＋２］間における肉眼視での濃度の不均衡が緩和される。これにより、図２５（ａ）に示されたような、第２の不可視画像の肉眼視での濃度の不均衡が緩和されることによって、透過不可視画像領域における第２の不可視画像を完全に不可視にすることを可能にしている。
【００７３】
一方、図２２に示されたアルゴリズムによって最小単位であるｕｎｉｔ［ｈ，ｖ］ごとに、孔の削除並びに追加を実行される。まず、処理ｆ１１にて、マトリクス状に配置した列ごとのｕｎｉｔ［ｈ，ｖ］において順次孔Ｂ［ｈ，ｖ］及び孔Ｂ´［ｈ，ｖ］の検知が行われる。なお、孔Ｂ［ｈ，ｖ］及び孔Ｂ´［ｈ，ｖ］を検知する方法は、例えば、印刷模様３がビットマップ形式の２値画像の場合、処理すべきｕｎｉｔ内において、一般的にラベリングと呼ばれる処理によって、孔Ｂ［ｈ，ｖ］又は孔Ｂ´［ｈ，ｖ］を識別して削除しても良い。
【００７４】
次に、処理ｆ１２にて、ｕｎｉｔ［ｈ，ｖ］に孔Ｂ´［ｈ，ｖ］を有し、かつ、ｕｎｉｔ［ｈ＋１，ｖ］に孔Ｂ［ｈ＋１，ｖ］を有する条件に一致したとき、処理ｆ１３にて、ｕｎｉｔ［ｈ，ｖ］における本来配置される位置である孔Ｂ´［ｈ，ｖ］の削除が行われる。すなわち、図２３（ｃ）に示されるように、ｕｎｉｔ［ｈ，ｖ］、ｕｎｉｔ［ｈ＋１，ｖ］、ｕｎｉｔ［ｈ＋２，ｖ］の配置の際、ｕｎｉｔ［ｈ，ｖ］の孔Ｂ´［ｈ，ｖ］とｕｎｉｔ［ｈ＋１，ｖ］の孔Ｂ［ｈ，ｖ］が隣接している場合、図２３（ｄ）に示されるように、ｕｎｉｔ［ｈ，ｖ］の孔Ｂ´［ｈ，ｖ］が削除される。また、処理ｆ２の条件に一致しない場合は処理１４に移行する。また、部分的に孔Ｂ´が削除されることによって、孔Ｂの総面積に対し孔Ｂ´の総面積が少ない状態となる。
【００７５】
次に、図２２に示される処理ｆ１４にて、ｕｎｉｔ［ｈ，ｖ］に孔Ｂ［ｈ，ｖ］を有し、かつ、ｕｎｉｔ［ｈ＋１，ｖ］に孔Ｂ´［ｈ＋１，ｖ］を有する条件に一致したとき、処理ｆ１５にて、ｕｎｉｔ［ｈ，ｖ］における孔ｂ［ｈ，ｖ］の追加を行う。すなわち、図２４（ｆ）に示されるように、ｕｎｉｔ［ｈ，ｖ］における孔Ｂ´とｕｎｉｔ［ｈ＋１，ｖ］における孔Ｂの中間に、孔Ｂ又は孔Ｂ´の半分又は略半分の空間面積を有する孔bが追加される。これにより、ｕｎｉｔ［ｈ，ｖ］とｕｎｉｔ［ｈ＋１，ｖ］間における肉眼視での濃度の不均衡が緩和される。
【００７６】
次に、図２２に示される処理ｆ１６にて、ｕｎｉｔ［ｈ，ｖ］に孔Ｂ´［ｈ，ｖ］を有し、ｕｎｉｔ［ｈ＋１，ｖ］に孔がなく、かつ、ｕｎｉｔ［ｈ＋２，ｖ］に孔Ｂ［ｈ＋２，ｖ］を有する条件に一致したとき、処理ｆ１７にて、ｕｎｉｔ［ｈ＋１，ｖ］における孔Ｅ［ｈ＋１，ｖ］の追加を行う。すなわち、図２４（ｇ）に示されるように、ｕｎｉｔ［ｈ＋１，ｖ］における孔Ｂ及び孔Ｂ´が配置される中心の位置に、孔Ｂ又は孔Ｂ´の半分又は略半分の空間面積を有する孔Ｅが追加される。これにより、ｕｎｉｔ［ｈ，ｖ］とｕｎｉｔ［ｈ＋２，ｖ］間における肉眼視での濃度の不均衡が緩和される。
【００７７】
次に、図２２に示される処理ｆ１８にて、ｕｎｉｔ［ｈ，ｖ］に孔Ｂ´［ｈ，ｖ］を有し、ｕｎｉｔ［ｈ＋１，ｖ］に孔がなく、かつ、ｕｎｉｔ［ｈ＋２，ｖ］に孔Ｂ´［ｈ＋２，ｖ］を有する条件に一致したとき、処理ｆ１９にて、ｕｎｉｔ［ｈ＋１，ｖ］における孔Ｅ［ｈ＋１，ｖ］及び孔ｂ［ｈ＋１，ｖ］の追加を行う。すなわち、図２４（ｈ）に示されるように、ｕｎｉｔ［ｈ＋１，ｖ］における孔Ｂ及び孔Ｂ´が配置される中心の位置に、孔Ｂ又は孔Ｂ´の半分又は略半分の空間面積を有する孔Ｅが追加され、ｕｎｉｔ［ｈ＋１，ｖ］の孔Ｂ´及びｕｎｉｔ［ｈ＋２，ｖ］の孔Ｂが配置される中心の位置に、孔Ｂ又は孔Ｂ´の半分又は略半分の空間面積を有する孔ｂが追加される。これにより、ｕｎｉｔ［ｈ，ｖ］とｕｎｉｔ［ｈ＋２，ｖ］間における肉眼視での濃度の不均衡が緩和される。これにより、図２５（ｂ）に示されたような、第３の不可視画像の肉眼視での濃度の不均衡が緩和されることによって、透過不可視画像領域における第３の不可視画像を完全に不可視にすることを可能にしている。
【００７８】
さらに、図２６に示されたように、図２５（ａ）及び図２５（ｂ）で示された孔の配置をもって、透過不可視画像領域の同一面に重畳することにより、線Ｌ１及び線Ｌ１と、線Ｌ３及び線Ｌ４とのそれぞれの方向に一致するようにレンチキュラーレンズ３を重ね合わせることによって、線Ｌ１及び線Ｌ１では第２の不可視画像が視認され、線Ｌ２及び線Ｌ４では、第３の不可視画像が視認される。また、本発明では、図２６に示されるような２種類の不可視画像を施されたもので説明しているが、図２５（ａ）又は図２５（ｂ）の状態、すなわち、レンチキュラーレンズ３によって１種類の不可視画像が発現するものであっても良い。
【符号の説明】
【００７９】
１          基材
２          レンチキュラーレンズ
３          ホログラム
３ａ〜３ｈ          ｕｎｉｔ
４          ホログラム画像領域
５          光源
６          透過不可視画像領域
７ａ          第1の不可視画像画線部
７ｂ          第1の不可視背景画線部
８ａ          第２の不可視画像
８ｂ          第３の不可視画像
９          中心線
［Ｘ１］          視角
［Ｘ２］          視角
［Ｘ３］          視角
［Ｔ１］          視角
［Ｔ２］          視角
［Ｔ３］          視角
Ａ、Ａ´          孔
Ｂ、Ｂ´          孔
Ｃ          孔
Ｊ          孔の間隔
Ｌ１          線
Ｌ２          線
Ｌ３          線
Ｌ４          線
ｈ          縦横孔寸法
Ｐ          最小孔寸法
Ｓ          寸法
【図１】
0005557187.tif 000002
【図２】
0005557187.tif 000003
【図３】
0005557187.tif 000004
【図４】
0005557187.tif 000005
【図５】
0005557187.tif 000006
【図６】
0005557187.tif 000007
【図７】
0005557187.tif 000008
【図８】
0005557187.tif 000009
【図９】
0005557187.tif 000010
【図１０】
0005557187.tif 000011
【図１１】
0005557187.tif 000012
【図１２】
0005557187.tif 000013
【図１３】
0005557187.tif 000014
【図１４】
0005557187.tif 000015
【図１５】
0005557187.tif 000016
【図１６】
0005557187.tif 000017
【図１７】
0005557187.tif 000018
【図１８】
0005557187.tif 000019
【図１９】
0005557187.tif 000020
【図２０】
0005557187.tif 000021
【図２１】
0005557187.tif 000022
【図２２】
0005557187.tif 000023
【図２３】
0005557187.tif 000024
【図２４】
0005557187.tif 000025
【図２５】
0005557187.tif 000026
【図２６】
0005557187.tif 000027